(57)【要約】【課題】挿通用チャンネルの内壁の損傷を防止しつつ、穿刺針を曲げ易くして、穿刺針の針管の先端の方向の調整範囲を広くすることができる超音波内視鏡を提供すること。【解決手段】超音波内視鏡１は、穿刺針組立体３のスタイレット３２の先端部には、針管３１内に収納される第１の状態と、針管３１の先端３１１が挿通用チャンネル内を先端方向に移動する際に、針管３１の先端３１１から突出して挿通用チャンネルの内壁面に当接し摺動する第２の状態とをとり得るガイド部３２２が設けられ、ガイド部３２２は、第２の状態にて、針管３１の先端３１１が挿通用チャンネルの内壁面に接触するのを防止するように構成されている。【選択図】図５
2010042139.tif 000002
【特許請求の範囲】
【請求項１】
管腔内に挿入される挿入部可撓管と、
該挿入部可撓管の先端部に設けられ、超音波を発受信する超音波プローブと、
前記挿入部可撓管に沿ってその内部に設けられた挿通用チャンネルと、
前記挿通用チャンネル内に挿通され、前記管腔内の組織を穿刺する針管と、該針管内に進退可能に挿通されるスタイレットとを備える穿刺針組立体とを有する超音波内視鏡であって、
前記穿刺針組立体の前記スタイレットの先端部には、前記針管内に収納される第１の状態と、前記針管の先端が前記挿通用チャンネル内を先端方向に移動する際に、前記針管の先端から突出して前記挿通用チャンネルの内壁面に当接し摺動する第２の状態とをとり得るガイド部が設けられ、該ガイド部は、前記第２の状態にて、前記針管の先端が前記挿通用チャンネルの内壁面に接触するのを防止するように構成されていることを特徴とする超音波内視鏡。
【請求項２】
前記ガイド部は、前記第１の状態では前記針管の内径よりも小さく縮径し、前記第２の状態では前記針管の外径よりも大きく拡径するように変形可能に構成されている請求項１に記載の超音波内視鏡。
【請求項３】
前記スタイレットは、管状をなす本体部を備え、該本体部内には、線状体が挿通されており、前記ガイド部は、前記本体部の先端部に接続され、前記線状体が前記本体部に対して軸線方向に進退操作されることで、前記縮径・前記拡径するように構成されている請求項２に記載の超音波内視鏡。
【請求項４】
前記ガイド部は、前記本体部の軸線方向に延び、周方向に並設された複数の帯状体を備え、前記線状体が前記本体部に対して軸線方向に進退操作されることで、前記各帯状体の湾曲状態を変化させて、前記縮経・前記拡径するように構成されている請求項３に記載の超音波内視鏡。
【請求項５】
前記各帯状体の基端部は、前記本体部の先端部に固定され、前記各帯状体の先端部は、前記線状体の先端部に接続され、前記線状体が前記本体部に対して基端側に引かれることで、前記各帯状体を外方を凸とするよう湾曲させて前記拡径し、前記線状体が前記本体部に対し先端側に押されることで、前記縮経するように構成されている請求項４に記載の超音波内視鏡。
【請求項６】
前記各線状体と前記本体部との境界部付近には、薄肉部が形成されている請求項５に記載の超音波内視鏡。
【請求項７】
前記各帯状体の基端部は、前記本体部の先端に固定され、前記線状体が前記本体部に対して先端側に押されることで、前記各帯状体を外方に向けて押し拡げられて前記拡径し、前記線状体が前記本体部に対して基端側に引かれることで、前記縮経し得るように構成されている請求項４に記載の超音波内視鏡。
【請求項８】
前記各帯状体の先端部または途中には、内側に突出する突出部が設けられている請求項７に記載の超音波内視鏡。
【請求項９】
前記各突出部は、略半球状をなしている請求項８に記載の超音波内視鏡。
【請求項１０】
前記各突出部は、軸線方向にずれて配置されている請求項８または９に記載の超音波内視鏡。
【請求項１１】
前記各帯状体の先端は、自由端である請求項７ないし１０のいずれかに記載の超音波内視鏡。
【請求項１２】
前記線状体の先端部は、丸みを帯びている請求項７ないし１１のいずれかに記載の超音波内視鏡。
【請求項１３】
前記ガイド部の少なくとも前記挿通用チャンネルの内壁面に当接する部分は、フッ素系樹脂を主材料として構成されている請求項１ないし１２のいずれかに記載の超音波内視鏡。
【請求項１４】
前記挿通用チャンネルの少なくとも内壁面付近は、フッ素系樹脂を主材料として構成されている請求項１ないし１３いずれかに記載の超音波内視鏡。
【請求項１５】
前記挿通用チャンネルの先端部付近には、前記針管を曲げて、前記針管の先端の向きを変更する穿刺針起上手段が設けられている請求項１ないし１４いずれかに記載の超音波内視鏡。
【発明の詳細な説明】
【技術分野】
【０００１】
本発明は、超音波内視鏡に関するものである。
【背景技術】
【０００２】
医療の分野では、消化管等の検査や診断に、内視鏡が使用されている。
このような内視鏡として、管腔内に挿入される挿入部可撓管を有し、この挿入部可撓管の先端部に、被検部に向けて超音波を発信し、かつ、被検部から反射してきた超音波を受信する超音波プローブが設けられた超音波内視鏡が知られている（例えば、特許文献１参照）。
【０００３】
例えば、特許文献１にかかる超音波内視鏡では、管腔内に挿入した超音波プローブを、患部付近の粘膜表面に当接させ、患部の像を含む超音波断層像を得る。そして、この超音波断層像を観察しながら、挿入部可撓管の内部に設けられた挿通用チャンネル内に挿通された穿刺針の先端部を挿通用チャンネルから突出させ、この穿刺針の先端部を管腔の目的部位に穿刺する。その際、穿刺針起上手段により穿刺針を湾曲させて穿刺針の先端部の向きを調整する。
【０００４】
また、特許文献１にかかる穿刺針は、挿通用チャンネル内に挿通される管状のシースと、このシース内に挿通された針管と、この針管内に挿通されるスタイレットとで構成されている。
【０００５】
このような穿刺針は、挿通用チャンネル内を進行させる際に、針管の先端をシース内に収納することで、針管の先端が挿通用チャンネルの内壁を損傷するのを防止することができる。
【０００６】
しかしながら、針管がシース内に挿通された状態では、穿刺針全体の剛性が高いため、前述したような穿刺針起上手段により穿刺針全体を湾曲させるのが難しい。そのため、針管の先端部の向きの調整範囲が狭く、管腔の目的部位に針管の先端をもたらす際には、穿刺針起上手段による調整だけではなく、挿入部可撓管の先端部自体の位置を移動させて調整しなければならない。その結果、臨床時間に長時間を要し、患者の負担が大きいものとなってしまう。
【０００７】
【特許文献１】特開２００４−１５４３００号公報
【発明の開示】
【発明が解決しようとする課題】
【０００８】
本発明の目的は、挿通用チャンネルの内壁の損傷を防止しつつ、穿刺針を曲げ易くして、穿刺針の針管の先端の方向の調整範囲を広くすることができる超音波内視鏡を提供することにある。
【課題を解決するための手段】
【０００９】
このような目的は、下記（１）〜（１５）の本発明により達成される。
（１）  管腔内に挿入される挿入部可撓管と、
該挿入部可撓管の先端部に設けられ、超音波を発受信する超音波プローブと、
前記挿入部可撓管に沿ってその内部に設けられた挿通用チャンネルと、
前記挿通用チャンネル内に挿通され、前記管腔内の組織を穿刺する針管と、該針管内に進退可能に挿通されるスタイレットとを備える穿刺針組立体とを有する超音波内視鏡であって、
前記穿刺針組立体の前記スタイレットの先端部には、前記針管内に収納される第１の状態と、前記針管の先端が前記挿通用チャンネル内を先端方向に移動する際に、前記針管の先端から突出して前記挿通用チャンネルの内壁面に当接し摺動する第２の状態とをとり得るガイド部が設けられ、該ガイド部は、前記第２の状態にて、前記針管の先端が前記挿通用チャンネルの内壁面に接触するのを防止するように構成されていることを特徴とする超音波内視鏡。
【００１０】
これにより、挿通用チャンネルの内壁の損傷を防止しつつ、穿刺針を曲げ易くして、穿刺針の針管の先端の方向の調整範囲を広くすることができる。
【００１１】
（２）  前記ガイド部は、前記第１の状態では前記針管の内径よりも小さく縮径し、前記第２の状態では前記針管の外径よりも大きく拡径するように変形可能に構成されている上記（１）に記載の超音波内視鏡。
【００１２】
これにより、針管の先端が挿通用チャンネルの内壁面に接触するのをより確実に防止することができる。
【００１３】
（３）  前記スタイレットは、管状をなす本体部を備え、該本体部内には、線状体が挿通されており、前記ガイド部は、前記本体部の先端部に接続され、前記線状体が前記本体部に対して軸線方向に進退操作されることで、前記縮径・前記拡径するように構成されている上記（２）に記載の超音波内視鏡。
【００１４】
これにより、比較的簡単な構成で、外部からガイド部を縮径・拡径させることができる。
【００１５】
（４）  前記ガイド部は、前記本体部の軸線方向に延び、周方向に並設された複数の帯状体を備え、前記線状体が前記本体部に対して軸線方向に進退操作されることで、前記各帯状体の湾曲状態を変化させて、前記縮経・前記拡径するように構成されている上記（３）に記載の超音波内視鏡。
これにより、縮径・拡径可能なガイド部を比較的簡単な構成で実現することができる。
【００１６】
（５）  前記各帯状体の基端部は、前記本体部の先端部に固定され、前記各帯状体の先端部は、前記線状体の先端部に接続され、前記線状体が前記本体部に対して基端側に引かれることで、前記各帯状体を外方を凸とするよう湾曲させて前記拡径し、前記線状体が前記本体部に対し先端側に押されることで、前記縮経するように構成されている上記（４）に記載の超音波内視鏡。
【００１７】
これにより、ガイド部の縮経・拡径の操作性を優れたものとしつつ、縮径・拡径可能なガイド部を比較的簡単な構成で実現することができる。
【００１８】
（６）  前記各線状体と前記本体部との境界部付近には、薄肉部が形成されている上記（５）に記載の超音波内視鏡。
【００１９】
これにより、各帯状体が本体部との境界部付近で折れ曲がりやすくなる。その結果、ガイド部の拡径状態における外径を大きくすることができる。
【００２０】
（７）  前記各帯状体の基端部は、前記本体部の先端に固定され、前記線状体が前記本体部に対して先端側に押されることで、前記各帯状体を外方に向けて押し拡げられて前記拡径し、前記線状体が前記本体部に対して基端側に引かれることで、前記縮経し得るように構成されている上記（４）に記載の超音波内視鏡。
これにより、縮径・拡径可能なガイド部を比較的簡単な構成で実現することができる。
【００２１】
（８）  前記各帯状体の先端部または途中には、内側に突出する突出部が設けられている上記（７）に記載の超音波内視鏡。
【００２２】
これにより、ガイド部の拡径状態の外径を突出部の高さに応じて縮径状態の外径よりも大きくすることができる。
【００２３】
（９）  前記各突出部は、略半球状をなしている上記（８）に記載の超音波内視鏡。
これにより、線状体が各突出部に接触して各帯状体を押し拡げる際に、線状体が各突出部に引っ掛かるのを防止することができる。その結果、ガイド部の縮経・拡径の操作性を向上させることができる。
【００２４】
（１０）  前記各突出部は、軸線方向にずれて配置されている上記（８）または（９）に記載の超音波内視鏡。
【００２５】
これにより、各突出部の高さを高くすることができる。その結果、ガイド部の拡径状態の外径をより大きくすることができる。
【００２６】
（１１）  前記各帯状体の先端は、自由端である上記（７）ないし（１０）のいずれかに記載の超音波内視鏡。
【００２７】
これにより、ガイド部の拡径状態における外径が各帯状体の先端部で最も大きくなる。その結果、針管の先端が挿通用チャンネルの内壁面に接触するのをより確実に防止することができる。
【００２８】
（１２）  前記線状体の先端部は、丸みを帯びている上記（７）ないし（１１）のいずれかに記載の超音波内視鏡。
【００２９】
これにより、線状体が各突出部に接触して各帯状体を押し拡げる際に、線状体が各突出部に引っ掛かるのを防止することができる。その結果、ガイド部の縮経・拡径の操作性を向上させることができる。
【００３０】
（１３）  前記ガイド部の少なくとも前記挿通用チャンネルの内壁面に当接する部分は、フッ素系樹脂を主材料として構成されている上記（１）ないし（１２）のいずれかに記載の超音波内視鏡。
【００３１】
これにより、穿刺針組立体（針管）を挿通用チャンネル内で移動させる際に、ガイド部と挿通用チャンネルの内壁面との摺動抵抗を低減することができる。その結果、挿通用チャンネルの内壁面の損傷をより確実に防止することができる。また、穿刺針組立体（針管）を挿通用チャンネル内で移動させる際の操作性を向上させることができる。
【００３２】
（１４）  前記挿通用チャンネルの少なくとも内壁面付近は、フッ素系樹脂を主材料として構成されている上記（１）ないし（１３）いずれかに記載の超音波内視鏡。
【００３３】
これにより、穿刺針組立体（針管）を挿通用チャンネル内で移動させる際に、ガイド部と挿通用チャンネルの内壁面との摺動抵抗を低減することができる。その結果、挿通用チャンネルの内壁面の損傷をより確実に防止することができる。また、穿刺針組立体（針管）を挿通用チャンネル内で移動させる際の操作性を向上させることができる。
【００３４】
（１５）  前記挿通用チャンネルの先端部付近には、前記針管を曲げて、前記針管の先端の向きを変更する穿刺針起上手段が設けられている上記（１）ないし（１４）いずれかに記載の超音波内視鏡。
【００３５】
これにより、超音波プローブの位置・姿勢を変えなくても、針管の先端の向きを変更・調整することができる。
【発明の効果】
【００３６】
本発明によれば、スタイレットの先端部に設けられたガイド部が挿通用チャンネルの内壁面と針管の先端との接触を防止するので、シース内に針管を挿通した構成にしなくても、挿通用チャンネルの内壁面の損傷を防止することができる。また、シース内に針管を挿通した構成にする必要がないので、穿刺針を曲げ易くして、穿刺針の針管の先端の方向の調整範囲を広くすることができる。したがって、超音波プローブの位置を変えることなく、より広い範囲の処置を行ったり、より狭い範囲の細かな処置を行ったりすることが可能な超音波内視鏡が得られる。これにより、手技を簡易化して施術者の負担を軽減するとともに、患者の負担も軽減することができる。
【発明を実施するための最良の形態】
【００３７】
以下、本発明の超音波内視鏡を添付図面に示す好適実施形態に基づいて詳細に説明する。
【００３８】
＜第１実施形態＞
まず、本発明の超音波内視鏡の第１実施形態について説明する。
【００３９】
図１は、本発明の超音波内視鏡の第１実施形態を示す全体図、図２は、図１に示す超音波内視鏡が備える湾曲部の先端部を示す平面図、図３は、図２に示す先端部のＶ−Ｖ線断面図、図４は、図２に示す湾曲部の先端部から穿刺針組立体を突出させた状態を示す模式図（縦断面図）、図５は、図１に示す超音波内視鏡に備えられた穿刺針組立体を示す斜視図、図６は、図５に示す穿刺針組立体（縮径状態）の縦断面図、図７は、図５に示す穿刺針組立体のガイド部の拡径状態を示す縦断面図、図８は、図５に示す穿刺針組立体を挿通用チャンネル内で先端側に移動させる際のガイド部と針管の先端との関係を示す図である。なお、以下の説明では、図１中の上側を「基端」、下側を「先端」と言い、図３および図４中の上側を「上」、下側を「下」と言い、図５ないし図８中の右側を「基端」、左側を「先端」と言う。
【００４０】
図１に示す超音波内視鏡１は、可撓性（柔軟性）を有する長尺物の挿入部可撓管２と、挿入部可撓管２の基端部に接続され、施術者が把持して超音波内視鏡１全体を操作する操作部６と、操作部６に接続された第１の接続部可撓管７と、第１の接続部可撓管７を介して操作部６に接続された光源差込部（接続部）８と、操作部６に接続された第２の接続部可撓管９と、第２の接続部可撓管９を介して操作部６に接続された超音波コネクタ１０を有している。
【００４１】
挿入部可撓管２は、管腔内に挿入して使用される。図１に示すように、挿入部可撓管２は、手元（基端）側から可撓管部２０と、可撓管部２０の先端部に設けられ、湾曲可能な湾曲部２１とを有している。
【００４２】
湾曲部２１は、操作部６の側面に設置された操作ノブ６１、６２の操作によって４方向に湾曲し、その方向を変えることができる。
【００４３】
図３、４に示すように、湾曲部２１の先端部には、被検部に向けて超音波を発信するとともに、被検部から反射してきた超音波を受信する超音波プローブ２２が取り付けられている。
【００４４】
この超音波プローブ２２は、いわゆる電子コンベックス方式の超音波振動子であって、その形状は、側面視で略円弧状をなしている。そして、この超音波プローブ２２の超音波走査範囲Ｕは、前記略円弧状部分の外側に拡がっていて、湾曲部２１の軸線に沿う平面内にある。図２中の一点鎖線Ａは、前記平面の位置を示している。以下、図２中の一点鎖線Ａで示されたこの平面を「平面Ａ」と言う。
【００４５】
超音波プローブ２２は、挿入部可撓管２内、操作部６内および第２の接続部可撓管９内に連続して配設された超音波信号ケーブル（図示せず）により、超音波コネクタ１０に接続されている。
【００４６】
この超音波コネクタ１０は、図示しない超音波診断装置（周辺機器）の接続部に挿入される。
【００４７】
超音波プローブ２２から発信され、被検部から反射してきた超音波（反射波）は、超音波プローブ２２で受信して電気信号に変換され、超音波信号ケーブルと超音波コネクタ１０とを介して、超音波診断装置に伝達される。そして、超音波診断装置内で所定の解析がなされ、図示しないモニタ装置等に、被検部の超音波断層像が表示される。
【００４８】
なお、この超音波プローブ２２の周囲には、挿入部可撓管２を管腔内に挿入する前に、患部の部位等に応じて適宜、図３に示すようなバルーン１６を装着してもよい。この状態で、挿入部可撓管２を管腔内に挿入するとともに、このバルーン１６中に後述するようにして脱気水を供給し、バルーン１６を膨張させた状態で観察することにより、特に食道のような脱気水を貯留し難い部位を観察する際に、より鮮明な超音波断層像を得ることができる。
【００４９】
湾曲部２１の先端部には、送水口（図示せず）および排水口（図示せず）が設けられている。
【００５０】
この送水口および排水口には、それぞれ、挿入部可撓管２内、操作部６内、第１の接続部可撓管７内および光源差込部８内に連続して形成された送水チャンネル（図示せず）および排水チャンネル（図示せず）の各先端側の端部が開放している。また、この送水チャンネルおよび排水チャンネルの各基端側の端部は、光源差込部８に設けられた給排水口８３において開放している。この給排水口８３は、送水管および排水管を備える管８４を介して脱気水を供給・吸引するタンク１７に接続されている。
【００５１】
超音波プローブ２２にバルーン１６が装着された状態で、タンク１７から脱気水を供給すると、タンク１７から供給される脱気水は、送水管および送水チャンネルを通過して、送水口からバルーン１６内に供給される。これにより、バルーン１６の内面と超音波プローブ２２の隙間に脱気水が貯留され、バルーン１６が膨張することとなる。一方、バルーン１６から脱気水を排出する場合、バルーン１６内の脱気水は、排水チャンネルおよび排水管を介してタンク１７側に吸引され、これにより、バルーン１６が収縮する。
【００５２】
また、湾曲部２１の先端部には、先端側に向かって傾斜した傾斜面２１１を有している。
【００５３】
図２に示すように、この傾斜面２１１には、超音波走査範囲Ｕの方向を光学観察するための光学観察窓（光学部品）２３と、その観察範囲を照明するための照明窓（光学部品）２４が並設されている。
【００５４】
光学観察窓２３の湾曲部２１の先端部内側には、観察部位における被写体像を撮像する図示しない撮像素子（ＣＣＤ）が設けられている。
【００５５】
この撮像素子は、挿入部可撓管２内、操作部６内および第１の接続部可撓管７内に連続して配設された画像信号ケーブル（図示せず）により、光源差込部８に設けられた画像信号用コネクタ８２に接続されている。
【００５６】
また、照明窓２４の湾曲部２１の先端部内側には、挿入部可撓管２内、操作部６内、第１の接続部可撓管７内および光源差込部８内に連続して配設されたライトガイドの先端が配設されている。このライトガイドは、例えば、石英ガラス、多成分ガラス、樹脂材料等により構成される光ファイバーが複数本束ねられて構成されている。
【００５７】
光源差込部８の先端部には、ライトガイドに接続された光源用コネクタ８１が画像信号用コネクタ８２と併設され、光源用コネクタ８１および画像信号用コネクタ８２を、図示しない光源プロセッサ装置（周辺機器）の接続部に挿入することにより、光源差込部８が光源プロセッサ装置に接続される。この光源プロセッサ装置には、ケーブルを介してモニタ装置（図示せず）が接続されている。
【００５８】
光源プロセッサ装置から発せられた光は、光源用コネクタ８１およびライトガイドを通り、湾曲部２１（挿入部可撓管２）の先端部より観察部位に照射され、照明する。
【００５９】
前記照明光により照明された観察部位からの反射光（被写体像）は、撮像素子で撮像される。撮像素子では、撮像された被写体像に応じた画像信号が出力される。この画像信号は、画像信号ケーブルを介して光源差込部８に伝達される。
【００６０】
そして、光源差込部８内および光源プロセッサ装置内で所定の処理（例えば、信号処理、画像処理等）がなされ、その後、モニタ装置に出力される。モニタ装置では、撮像素子で撮像された光学内視鏡画像（電子画像）、すなわち動画の内視鏡モニタ画像が表示される。
【００６１】
このような光源プロセッサ装置、モニタ装置および前述の超音波診断装置等の周辺機器の諸動作（例えば、電子画像の動画と静止画との切り替え、電子画像のファイリングシステムや撮影装置の作動および／または停止、電子画像の記録装置の作動および／または停止等）は、操作部６の周面に設けられた各制御ボタンを押圧操作することにより遠隔操作することができる。
【００６２】
また、超音波内視鏡１は、超音波プローブ２２と撮像素子等の光学部品とを備えているので、管腔内に挿入部可撓管２を挿入した状態で、超音波断層像と電子画像とを切り替えて表示させることができる。これにより、電子画像により管腔内の表面の状態を視認するとともに、超音波断層像により管腔の断面を観察することができる。すなわち、これらの画像を切り替えて表示させることにより、施術者が、管腔内における患部の位置を容易に認識し得る。
【００６３】
また、傾斜面２１１には、凹部２１２が形成されており、この凹部２１２内に、穿刺針突出口２５が設けられている。
【００６４】
穿刺針突出口２５には、挿入部可撓管２内に連続して形成された挿通用チャンネル２７の先端部が開放している。すなわち、穿刺針突出口２５は、挿通用チャンネル２７の先端側開口部となっている。
【００６５】
また、挿通用チャンネル２７の基端側開口部は、挿入部可撓管２の基端部に設けられた処置具挿通用孔２９連通している。すなわち、この超音波内視鏡１では、穿刺針組立体３が、穿刺針挿通用孔２９から挿入され、挿通用チャンネル２７に挿通される。そして、挿通用チャンネル２７に挿通された穿刺針組立体３は、その先端部が、穿刺針突出口２５から平面Ａに沿って超音波走査範囲Ｕに突出される。なお、挿通用チャンネル２７に挿通される穿刺針組立体３については、後に詳述する。
【００６６】
挿通用チャンネル２７の断面形状は、例えば、長方形、正方形、菱形等の四角形、三角形、六角形、八角形、円形、楕円形等のいかなるものであってもよいが、穿刺針組立体３の断面形状と相似形であって、穿刺針組立体３の断面積よりもわずかに広い断面積であるのが好ましい。これにより、穿刺針組立体３を挿通用チャンネル２７に容易に挿通させるとともに、目的とする位置に向けて穿刺針組立体３を容易に操作することができる。
【００６７】
なお、挿通用チャンネル２７の断面積は、その軸（長手方向）に沿って、ほぼ一定であっても、変化していてもよい。
【００６８】
また、挿通用チャンネル２７の少なくとも内壁面２７１付近は、フッ素系樹脂を主材料として構成されているのが好ましい。これにより、穿刺針組立体３（針管３１）を挿通用チャンネル２７内で移動させる際に、ガイド部３２２と挿通用チャンネル２７の内壁面２７１との摺動抵抗を低減することができる。その結果、後述するガイド部３２２との相乗効果により、挿通用チャンネル２７の内壁面２７１の損傷をより確実に防止することができる。また、穿刺針組立体３（針管３１）を挿通用チャンネル２７内で移動させる際の操作性を向上させることができる。
【００６９】
また、図２に示す穿刺針突出口２５は、その軸が図２の平面Ａ内に位置するよう配設されている。これにより、穿刺針突出口２５から突出した穿刺針組立体３を、超音波走査範囲Ｕに含めることができ、これらの穿刺針組立体３（特に後述する針管３１の先端３１１）を超音波断層像上に確実に表示させることができる。これにより、施術者は、超音波断層像上で、穿刺針組立体３の動作の様子を確実に視認することができる。その結果、被検部に対して確実な処置を行うことができる。
【００７０】
また、凹部２１２内の穿刺針突出口２５の近傍、すなわち挿通用チャンネル２７の先端部付近には、穿刺針起上片（穿刺針起上手段）１３が設けられている。
【００７１】
この穿刺針起上片１３は、後述する穿刺針組立体３の針管３１を曲げて、針管３１の先端の向きを変更するものである。これにより、超音波プローブ２２の位置・姿勢を変えなくても、針管３１の先端の向きを変更・調整することができる。
【００７２】
この穿刺針起上片１３は、凹部２１２内に取り付けられた支軸１４によって、湾曲部２１に回転可能に支持されている。すなわち、穿刺針起上片１３は、支軸１４を中心に、図２の平面Ａに沿って回転する。そして、穿刺針起上片１３には、支軸１４より先端側の部分に、湾曲部２１の軸に進退する操作ワイヤ１５が連結されている。この操作ワイヤ１５を操作することによって、支軸１４を中心に回転する。操作ワイヤ１５の操作は、操作部６の周面に設けられ、操作ワイヤ１５を牽引する操作レバー（図示せず）を操作することにより、遠隔操作することができる。
【００７３】
このような穿刺針起上片１３は、図４に示すように、穿刺針突出口２５から穿刺針組立体３を突出させたときに、その端面が穿刺針組立体３と当接するように設けられている。穿刺針起上片１３の端面を穿刺針組立体３に当接させた状態で、穿刺針起上片１３を回転させることにより、穿刺針組立体３の突出方向が変更され、それに伴って穿刺針組立体３の先端部の向き（位置）を変更することができる。
【００７４】
図４に、この穿刺針起上片１３の回動によって、穿刺針組立体３が起上操作される様子を示す。なお、図４中、点線で示す穿刺針組立体３は、穿刺針起上片１３によって起上操作される前の状態であり、実線で示す穿刺針組立体３は、穿刺針起上片１３によって起上操作された後の状態である。また、ここでは、起上操作される前の穿刺針組立体３の先端部と、起上操作された後の穿刺針組立体３の先端部との距離を「可動範囲Ｌ１」と言う。
【００７５】
図４に示すように、穿刺針組立体３を穿刺針突出口２５から突出させた状態（穿刺針組立体３は点線の状態）で、図２に示す操作ワイヤ１５を退行方向（基端側に引く方向）に操作すると、穿刺針起上片１３は、図４中右回りに回動する。これにより、穿刺針組立体３の先端部が、平面Ａに沿って起上（移動）する（穿刺針組立体３は実線の状態）。
【００７６】
一方、操作ワイヤ１５を進行方向（先端側に押す（送る）方向）に操作すると、穿刺針起上片１３は、図４中左回りに回動する。これにより、穿刺針組立体３の先端部が、平面Ａに沿って下降する。このように穿刺針起上片１３を回動操作することによって、穿刺針組立体３の突出方向の角度を、平面Ａに沿って任意に変化させることができる。
【００７７】
なお、穿刺針起上片１３は、突出させた穿刺針組立体３に常時当接するものであってもよく、後述する操作ワイヤ１５による操作によって穿刺針組立体３に当接したり離間したりするものであってもよい。
【００７８】
ここで、図５ないし図８を参照しつつ、穿刺針組立体３について説明する。
穿刺針組立体３は、図５に示すように、針管３１と、この針管３１内に挿通されるスタイレット３２と、スタイレット３２内に挿通される線状体（ワイヤー）３３とを有している。
【００７９】
針管３１は、管腔内の組織を穿刺するものである。このような針管３１は、その先端に鋭利な先端３１１が形成されている。この先端３１１の形状は、特に限定されないが、本実施形態では、針管３１の軸線に対し所定角度傾斜した刃面を有する形状をなしている。
【００８０】
針管３１は、例えば、ステンレス鋼、アルミニウムまたはアルミニウム合金、チタンまたはチタン合金のような金属材料で構成されている。
【００８１】
このような針管３１内には、その軸線方向に進退可能にスタイレット３２が挿通されている。
【００８２】
スタイレット３２は、管状をなす本体部３２１と、この本体部３２１の先端部に接続されたガイド部３２２とを有している。このスタイレット３２は、線状体３３が本体部３２１に対して軸線方向に進退操作されることで、ガイド部３２２が縮径・拡径するように構成されている。これにより、比較的簡単な構成で、外部（穿刺針挿通用孔２９側）からガイド部３２２を縮径・拡径させることができる。
【００８３】
このようなスタイレット３２は、例えば針管３１を管腔内の組織に穿刺する際に、先端３１１が目的部位に到達するまで、ガイド部３２２を針管３１の先端部内に収納して用いる（図５および図６参照）。このとき、ガイド部３２２は、針管３１の先端部の開口を塞ぐように位置し、意図しない組織が針管３１内に進入するのを防止する。また、このとき、ガイド部３２２を後述するように縮径状態とすることで、ガイド部３２２を針管３１の先端部内に収納することを可能としている。なお、以下、このときのガイド部３２２の状態（針管３１内に収納された状態）を第１の状態と言う。
【００８４】
また、スタイレット３２は、針管３１の先端３１１を挿通用チャンネル２７内で先端側に向けて移動する際に、ガイド部３２２を先端３１１から突出させて用いる（図７および図８参照）。このとき、ガイド部３２２は、針管３１の先端３１１に先行して移動し、先端３１１が挿通用チャンネル２７の内壁面２７１に接触するのを防止する。また、このとき、ガイド部３２２を後述するように拡径状態とすることで、先端３１１が挿通用チャンネル２７の内壁面２７１に接触するのをより確実に防止する。なお、以下、このときのガイド部３２２の状態（針管３１の先端３１１から突出した状態）を第２の状態と言う。
【００８５】
以下、スタイレット３２の各部を順次詳細に説明する。
本体部３２１内には、線状体３３がその軸線方向に進退可能に挿通されている。なお、本体部３２１の横断面形状は、特に限定されず、例えば、長方形、正方形、菱形等の四角形、三角形、六角形、八角形、円形、楕円形等のいかなるものであってもよい。
【００８６】
このような本体部３２１の先端部には、ガイド部３２２が接続されている。すなわち、ガイド部３２２は、スタイレット３２の先端部に設けられている。
【００８７】
ガイド部３２２は、複数（本実施形態では４つ）の帯状体３２２ａを有している。このガイド部３２２は、第１の状態では針管３１の内径よりも小さく縮径し、第２の状態では針管３１の外径よりも大きく拡径するように変形可能に構成されている。これにより、針管３１の先端３１１が挿通用チャンネル２７の内壁面２７１に接触するのをより確実に防止することができる。より具体的には、線状体３３が本体部３２１に対して基端側に引かれることで、各帯状体３２２ａを外方に凸となるよう湾曲させて拡径し、線状体３３が本体部３２１に対し先端側に押されることで、縮経するように構成されている。これにより、ガイド部３２２の縮経・拡径の操作性を優れたものとしつつ、縮径・拡径可能なガイド部３２２を比較的簡単な構成で実現することができる。
【００８８】
この複数の帯状体３２２ａは、本体部３２１の軸線方向に延び、周方向に並設されている。そして、各帯状体３２２ａの基端部は本体部３２１の先端に固定され、各帯状体３２２ａの先端部は固定部３２３を介して線状体３３の先端部に接続されている。
【００８９】
また、各帯状体３２２ａは、径方向に湾曲変形し得るように構成されている。また、各帯状体３２２ａの基端部と本体部３２１の先端部との境界部付近に薄肉部３２４が形成されている。本実施形態では、各帯状体３２２ａの基端部と本体部３２１の先端部との境界部付近の内周面に切り欠きを設けることにより薄肉部３２４が形成されている。このような薄肉部３２４を各帯状体３２２ａと本体部３２１との境界部付近に設けることで、各帯状体３２２ａが本体部３２１との境界部付近で折れ曲がりやすくなる。その結果、ガイド部３２２の拡径状態における外径を大きくすることができる。
【００９０】
このようなガイド部３２２は、線状体３３が本体部３２１に対して軸線方向に進退操作されることで、各帯状体３２２ａの湾曲状態を変化させて、縮経・拡径する。このようにガイド部３２２を構成することにより、比較的簡単な構成で縮径・拡径可能なガイド部３２２を実現することができる。
【００９１】
線状体３３としては、特に限定されないが、本実施形態では、ワイヤが用いられている。
【００９２】
このように構成されたスタイレット３２では、通常、図６に示すように、各帯状体３２２ａが線状体３３の軸線と略平行に延びていて縮径状態となっているが、図７に示すように、線状体３３を基端側に引くことで、各帯状体３２２ａを外方を凸とするように湾曲させてガイド部３２２を拡径状態とすることができる。また、ガイド部３２２が拡径状態となった後でも、線状体３３を先端側へ押すことで、各帯状体３２２ａを線状体３３の軸線と略平行に延びるようにしてガイド部３２２を再度縮径状態とすることができる。
【００９３】
このようなスタイレット３２の構成材料（本体部３２１、各帯状体３２２ａ、固定部３２３の構成材料）としては、特に限定されず、樹脂材料、金属材料等を用いることができるが、樹脂材料が好適に用いられる。
【００９４】
特に、ガイド部３２２の少なくとも挿通用チャンネル２７の内壁面２７１に当接する部分は、ＰＴＦＥ等のフッ素系樹脂を主材料として構成されているのが好ましい。これにより、穿刺針組立体３（針管３１）を挿通用チャンネル２７内で移動させる際に、ガイド部３２２と挿通用チャンネル２７の内壁面２７１との摺動抵抗を低減することができる。その結果、挿通用チャンネル２７の内壁面２７１の損傷をより確実に防止することができる。また、穿刺針組立体３（針管３１）を挿通用チャンネル２７内で移動させる際の操作性を向上させることができる。
【００９５】
このように構成された穿刺針組立体３のガイド部３２２は、図６に示すように、針管３１内に収納される第１の状態と、針管３１の先端３１１が挿通用チャンネル２７内を先端方向に移動する際に、図７に示すように、針管３１の先端３１１から突出して挿通用チャンネル２７の内壁面２７１に当接し摺動する第２の状態とをとり得る。このようなガイド部３２２は、第２の状態にて、針管３１の先端３１１が挿通用チャンネル２７の内壁面２７１に接触するのを防止することができる。例えば、針管３１の先端３１１が挿通用チャンネル２７内を先端方向に移動する際に、図８（ａ）、（ｂ）に示すように挿通用チャンネル２７が湾曲している場合であっても、ガイド部３２２は、針管３１の先端３１１から突出し拡径状態となることで、針管３１の先端３１１が挿通用チャンネル２７の内壁面２７１に接触するのを防止する。
【００９６】
以上説明したような穿刺針組立体３によれば、スタイレット３２の先端部に前述したようなガイド部３２２が設けられているので、シース内に針管３１を挿通した構成にしなくても、挿通用チャンネル２７の内壁面の損傷を防止することができる。また、針管３１の外周を覆うシースが不要となり、穿刺針組立体３全体の剛性を低くすることができる。そのため、穿刺針起上片１３によって穿刺針組立体３を容易に曲げることができ、穿刺針組立体３の針管３１の先端の方向の調整範囲を広くすることができる。その結果、超音波内視鏡１は、超音波プローブ２２の位置を変えることなく、より広い範囲の処置を行ったり、より狭い範囲の細かな処置を行ったりすることできる。これにより、手技を簡易化して施術者の負担を軽減するとともに、患者の負担も軽減することができる。
【００９７】
次に、超音波内視鏡１の使用方法（作用）について、図４を参照しながら説明する。ここでは、超音波内視鏡１によって、管腔の粘膜１００内に存在する患部であって、挿入部可撓管２に沿って細長い形状をなす患部１０１に対して処置を行う場合を例にして説明する。
【００９８】
まず、超音波プローブ２２に、ゴム製バルーン１６を被せる。そして、バルーン１６の口元を、Ｏリングにより超音波プローブ２２の基端部に固定する。
【００９９】
次に、光源プロセッサ装置に接続されたモニタ装置の画像を確認しつつ、挿入部可撓管２を管腔内に挿入し、超音波プローブ２２を粘膜１００の表面に接近させる。
【０１００】
次いで、必要に応じて、バルーン１６内に脱気水を供給する操作を行う。これにより、湾曲部２１の送水口から、バルーン１６の内面と超音波プローブ２２の隙間に脱気水が供給され、バルーン１６が膨張する。この状態で、バルーン１６の外面（または、超音波プローブ２２の外面）を粘膜１００の表面に接触させ、超音波プローブ２２から超音波を発受信させ、超音波診断装置の画面に超音波断層像を表示させる。
【０１０１】
一方、前述したようにガイド部３２２を針管３１の先端から突出させた状態（図８参照）で挿通用チャンネル２７に穿刺針組立体３を挿通し、超音波診断装置の超音波断層像を確認しつつ、穿刺針突出口から突出させる。
【０１０２】
そして、操作ワイヤ１５を牽引する操作レバー（図示せず）を操作することによって、穿刺針起上片１３を回転操作し、突出させた穿刺針組立体３を起上操作（突出方向を調整）し、穿刺針組立体３の針管３１の先端３１１を所望の位置へもたらす。このとき、前述したように、穿刺針組立体３が曲がり易く構成されているので、穿刺針組立体３をより広い可動範囲Ｌ１で起上操作することができる。したがって、図４に示すような比較的細長い患部１０１に対して処置を行う場合でも、超音波プローブを一箇所に当接させた状態で、患部のより広い範囲に対して処置を行うことができる。これにより、手技を簡易化して施術者の負担を軽減するとともに、患者の負担も軽減することができる。
【０１０３】
その後、穿刺針組立体３を用いて患部１０１に穿刺し処置を行う。その際、針管３１の先端が目的部位に到達するまでの間、針管３１のスタイレット３２のガイド部３２２を針管３１内に収納する。また、針管３１の先端が目的部位に到達した後、必要に応じて、スタイレット３２を基端側へ移動させて針管３１内から抜き取る。
【０１０４】
＜第２実施形態＞
次に、本発明の超音波内視鏡の第２実施形態について説明する。
【０１０５】
図９は、本発明の第２実施形態にかかる超音波内視鏡に備えられた穿刺針組立体を示す斜視図、図１０は、図９に示す穿刺針組立体（縮径状態）の縦断面図、図１１は、図９に示す穿刺針組立体のガイド部の拡径状態を示す縦断面図、図１２は、図９に示す穿刺針組立体を挿通用チャンネル内で先端側に移動させる際のガイド部と針管の先端との関係を示す図である。以下、図９ないし図１２中の右側を「基端」、左側を「先端」と言う。
【０１０６】
以下、第２実施形態の超音波内視鏡について説明するが、前述した第１実施形態の超音波内視鏡１との相違点を中心に説明し、同様の事項については、その説明を省略する。
【０１０７】
本実施形態の超音波内視鏡は、穿刺針組立体のスタイレットおよび線状体の構成が異なる以外は、前述した第１実施形態の超音波内視鏡１と同様である。
【０１０８】
本実施形態の超音波内視鏡は、図９に示すように、スタイレット３２Ａおよび線状体３３Ａを有する穿刺針組立体３Ａを備えている。
【０１０９】
スタイレット３２Ａは、本体部３２１の先端部に接続されたガイド部３２２Ａを備えている。このガイド部３２２Ａは、各帯状体３２２ａの基端部が本体部３２１の先端に固定され、各帯状体３２２ａの先端は、自由端となっている。このようなガイド部３２２Ａは、線状体３３Ａが本体部３２１に対して先端側に押されることで、各帯状体３２２ａが外方に向けて押し拡げられて拡径し、線状体３３Ａが本体部３２１に対して基端側に引かれることで、縮経する。これにより、比較的簡単な構成で縮径・拡径可能なガイド部３２２Ａを実現することができる。特に、各帯状体３２２ａの先端が自由端となっているので、ガイド部３２２Ａの拡径状態における外径が各帯状体３２２ａの先端部で最も大きくなる。そのため、ガイド部３２２Ａの拡径状態における外径が大きくでき、針管３１の先端３１１が挿通用チャンネル２７の内壁面に接触するのをより確実に防止することができる。
【０１１０】
また、各帯状体３２２ａの先端部には、内側に突出する突出部３２５が設けられている。これにより、ガイド部３２２Ａの拡径状態の外径を突出部３２５の高さに応じて縮径状態の外径よりも大きくすることができる。
【０１１１】
各突出部３２５は、略半球状をなしている。これにより、線状体３３Ａが各突出部３２５に接触して各帯状体３２２ａを押し拡げる際に、線状体３３Ａが各突出部３２５に引っ掛かるのを防止することができる。その結果、ガイド部３２２Ａの縮経・拡径の操作性を向上させることができる。
【０１１２】
なお、各突出部３２５の形状は、前述したものに限定されないが、線状体３３Ａの先端部３３１Ａとの接触・摺動を円滑にするために、傾斜面や湾曲面を有するのが好ましい。
【０１１３】
線状体３３Ａの先端部３３１Ａは、丸みを帯びている。これにより、線状体３３Ａが各突出部３２５に接触して各帯状体３２２ａを押し拡げる際に、線状体３３Ａが各突出部３２５に引っ掛かるのを防止することができる。その結果、ガイド部３２２Ａの縮経・拡径の操作性を向上させることができる。
【０１１４】
このように構成された穿刺針組立体３Ａのガイド部３２２Ａは、図１０に示すように、針管３１内に収納される第１の状態と、針管３１の先端３１１が挿通用チャンネル２７内を先端方向に移動する際に、図１１に示すように、針管３１の先端３１１から突出して挿通用チャンネル２７の内壁面２７１に当接し摺動する第２の状態とをとり得る。このようなガイド部３２２Ａは、第２の状態にて、針管３１の先端３１１が挿通用チャンネル２７の内壁面２７１に接触するのを防止することができる。例えば、図１２（ａ）、（ｂ）に示すように挿通用チャンネル２７が湾曲している場合であっても、ガイド部３２２Ａは、針管３１の先端３１１から突出し拡径状態となることで、針管３１の先端３１１が挿通用チャンネル２７の内壁面２７１に接触するのを防止する。
【０１１５】
以上説明したような第２実施形態にかかる超音波内視鏡によれば、前述した第１実施形態の超音波内視鏡１と同様の効果を発揮することができる。
【０１１６】
＜第３実施形態＞
次に、本発明の超音波内視鏡の第３実施形態について説明する。
【０１１７】
図１３は、本発明の第３実施形態にかかる超音波内視鏡に備えられた穿刺針組立体（縮径状態）の縦断面図、図１４は、図１３に示す穿刺針組立体のガイド部の拡径状態を示す縦断面図である。以下、図１３および図１４中の右側を「基端」、左側を「先端」と言う。
【０１１８】
以下、第３実施形態の超音波内視鏡について説明するが、前述した第１実施形態および第２実施形態の超音波内視鏡との相違点を中心に説明し、同様の事項については、その説明を省略する。
【０１１９】
本実施形態の超音波内視鏡は、ガイド部の各突出部の配置が異なる以外は、前述した第２実施形態の超音波内視鏡１と同様である。
【０１２０】
本実施形態の超音波内視鏡は、図１３に示すように、スタイレット３２Ｂおよび線状体３３Ａを有する穿刺針組立体３Ｂを備えている。
【０１２１】
スタイレット３２Ｂは、本体部３２１の先端部に接続されたガイド部３２２Ｂを備えている。このガイド部３２２Ｂは、前述した第２実施形態の穿刺針組立体３Ａと同様の操作により、縮径・拡径する。
【０１２２】
ガイド部３２２Ｂでは、各帯状体３２２ａの途中に、内側に突出する突出部３２６が設けられている。これにより、図１４に示すように、ガイド部３２２Ｂの拡径状態の外径をより大きくすることができる。
【０１２３】
また、複数の突出部３２６は、軸線方向にずれて配置されている。これにより、各突出部３２６の高さを本体部３２１の内径とほぼ同じ大きさにまで高くすることができる。その結果、ガイド部３２２Ｂの拡径状態の外径をより大きくすることができる。
【０１２４】
以上説明したような第３実施形態にかかる超音波内視鏡によれば、前述した第１実施形態の超音波内視鏡１と同様の効果を発揮することができる。
【０１２５】
以上、本発明の超音波内視鏡を図示の各実施形態について説明したが、本発明は、これらに限定されるものではなく、同様の機能を発揮する任意の構成のものと置換することができる。
【０１２６】
例えば、本発明の超音波内視鏡では、各前記実施形態の任意の２以上の構成を適宜選択し得るように構成されていてもよい。
【０１２７】
また、本実施形態の超音波内視鏡は、管腔内を電子画像として観察するように構成されているが、光学画像として観察するように構成されていてもよい。
【図面の簡単な説明】
【０１２８】
【図１】本発明の超音波内視鏡の第１実施形態を示す全体図である。
【図２】図１に示す超音波内視鏡が備える湾曲部の先端部を示す平面図である。
【図３】図２に示す先端部のＶ−Ｖ線断面図である。
【図４】図２に示す湾曲部の先端部から穿刺針組立体を突出させた状態を示す模式図（縦断面図）である。
【図５】図１に示す超音波内視鏡に備えられた穿刺針組立体を示す斜視図である。
【図６】図５に示す穿刺針組立体（縮径状態）の縦断面図である。
【図７】図５に示す穿刺針組立体のガイド部の拡径状態を示す縦断面図である。
【図８】図５に示す穿刺針組立体を挿通用チャンネル内で先端側に移動させる際のガイド部と針管の先端との関係を示す図である。
【図９】本発明の第２実施形態にかかる超音波内視鏡に備えられた穿刺針組立体を示す斜視図である。
【図１０】図９に示す穿刺針組立体（縮径状態）の縦断面図である。
【図１１】図９に示す穿刺針組立体のガイド部の拡径状態を示す縦断面図である。
【図１２】図９に示す穿刺針組立体を挿通用チャンネル内で先端側に移動させる際のガイド部と針管の先端との関係を示す図である。
【図１３】本発明の第３実施形態にかかる超音波内視鏡に備えられた穿刺針組立体（縮径状態）の縦断面図である。
【図１４】図１３に示す穿刺針組立体のガイド部の拡径状態を示す縦断面図である。
【符号の説明】
【０１２９】
１          超音波内視鏡
２          挿入部可撓管
３、３Ａ、３Ｂ  穿刺針組立体
３１        針管
３１１      先端
３２、３２Ａ、３２Ｂ  スタイレット
３２１      本体部
３２２、３２２Ａ、３２２Ｂ  ガイド部
３２２ａ    帯状体
３２３      固定部
３２４      薄肉部
３２５、３２６  突出部
３３、３３Ａ  線状体
３３１Ａ    先端部
２０        可撓管部
２１        湾曲部
２１１      傾斜面
２１２      凹部
２２        超音波プローブ
２３        光学観察窓
２４        照明窓
２５        穿刺針突出口
２７        挿通用チャンネル
２７１      内壁面
２９        穿刺針挿通用孔
６          操作部
６１、６２  操作ノブ
７          第１の接続部可撓管
８          光源差込部
８１        光源用コネクタ
８２        画像信号用コネクタ
８３        給排水口
８４        管
９          第２の接続部可撓管
１０        超音波コネクタ
１３        穿刺針起上片（穿刺針起上手段）
１４        支軸
１５        操作ワイヤ
１６        バルーン
１７        タンク
１００      粘膜
１０１      患部
【図１】
2010042139.tif 000003
【図２】
2010042139.tif 000004
【図３】
2010042139.tif 000005
【図４】
2010042139.tif 000006
【図５】
2010042139.tif 000007
【図６】
2010042139.tif 000008
【図７】
2010042139.tif 000009
【図８】
2010042139.tif 000010
【図９】
2010042139.tif 000011
【図１０】
2010042139.tif 000012
【図１１】
2010042139.tif 000013
【図１２】
2010042139.tif 000014
【図１３】
2010042139.tif 000015
【図１４】
2010042139.tif 000016